(57)【特許請求の範囲】
【請求項１】
建造物の屋上に植裁基盤を形成し、この植裁基盤に植物を植裁して屋上を緑化する屋上緑化システムにおいて、
前記屋上の一部に形成された雨水を貯留する貯水領域と、
前記植裁基盤に植物を植裁した植裁領域内に埋設され、前記植物に毛細管現象により水を供給する貯水・潅水タンクと、
前記貯水領域及び前記貯水・潅水タンクに接続され、前記貯水領域内でオーバーフローした水を前記貯水・潅水タンク内に貯水するオーバーフロー貯水装置とを有することを特徴とする屋上緑化システム。
【請求項２】
請求項１において、
前記貯水・潅水タンクに接続され、前記貯水・潅水タンク内の水が所定の水位以下になると前記貯水・潅水タンク内に水を供給する自動給水装置を有することを特徴とする屋上緑化システム。
【請求項３】
請求項１または２において、
前記雨水を貯留する貯水領域として池が設けられていることを特徴とする屋上緑化システム。
【請求項４】
請求項３において、
前記池よりも高さの高い位置に水の流出部を設け、この流出部と前記池とを流水路で結び、前記池の水を前記流出部に供給して前記流出部より前記流水路を経て前記池へと水を流下させることを特徴とする屋上緑化システム。
【請求項５】
請求項３または４において、
前記池の水が所定の水位以下になると給水を行う池水自動補給装置が設けられていることを特徴とする屋上緑化システム。
【発明の詳細な説明】
【０００１】
【発明の属する技術分野】
本発明は、屋上緑化システムに関し、特に、雨水を貯留する貯水領域を有する屋上緑化システムに関する。
【０００２】
【背景技術及び発明が解決しようとする課題】
近年、建造物の屋上などに大規模に植物を植裁し、都市部における無機的な空間の緑化を図る試みが盛んになされるようになっている。
【０００３】
特に、最近では、庭園、公園、河川敷などに、湿地、草地、林などを造り、野生生物を呼び戻そうという活動が盛んになり、これがビオトープへの関心を高めるようになっている。
【０００４】
これは、小面積であってもネットワークを構成することで野生生物が豊かな環境を作り上げることのできるように、都市部における人と生物の共生、自然生態系の保全、回復というテーマに発展している。
【０００５】
本発明の目的は、このようなビオトープのテーマを屋上緑化に展開するとともに、池などの貯水領域に貯留される雨水の有効利用を図ることのできる屋上緑化システムを提供することにある。
【０００６】
【課題を解決するための手段】
前記目的を達成するため、本発明における屋上緑化システムは、建造物の屋上に植裁基盤を形成し、この植裁基盤に植物を植裁して屋上を緑化する屋上緑化システムにおいて、
前記屋上の一部に形成された雨水を貯留する貯水領域と、
前記植裁基盤に植物を植裁した植裁領域内に埋設され、前記植物に毛細管現象により水を供給する貯水・潅水タンクと、
前記貯水領域及び前記貯水・潅水タンクに接続され、前記貯水領域内でオーバーフローした水を前記貯水・潅水タンク内に貯水するオーバーフロー貯水装置とを有することを特徴とする。
【０００７】
本発明によれば、屋上の一部に雨水を貯留する貯水領域を形成し、植裁領域に貯水・潅水タンクを埋設し、オーバーフロー貯水装置により貯水領域内でオーバーフローした水を貯水・潅水タンク内に貯水することで、植裁基盤に植えられた植物に貯水・潅水タンクから毛細管現象により水を供給して植物に潅水することで、雨水の有効利用を図ることができる。
【０００８】
また、この貯水領域に水をたたえた状態とすることで、都市部における建造物の屋上に人と生物の共生する空間を形成し、自然生態系の保全、回復に寄与することができる。
【０００９】
本発明においては、前記貯水・潅水タンクに接続され、前記貯水・潅水タンク内の水が所定の水位以下になると前記貯水・潅水タンク内に水を供給する自動給水装置を有するものとすることができる。
【００１０】
このような構成とすることにより、例えば、長期間降雨がなく貯水・潅水タンク内の水が減少して所定の水位以下になった場合に、自動給水装置から貯水・潅水タンク内に水を供給して、常時潅水可能な状態とし、植物の枯渇を防止することができる。
【００１１】
本発明においては、前記雨水を貯留する貯水領域として池を設けるようにすることができる。
【００１２】
このような構成とすることにより、池によって景観のよい庭園を形成することができ、しかも、池の存在によって、より一層自然生態系の保全、回復を図ることが可能となる。
【００１３】
この場合、前記池よりも高さの高い位置に水の流出部を設け、この流出部と前記池とを流水路で結び、前記池の水を前記流出部に供給して前記流出部より前記流水路を経て前記池へと水を流下させることができる。
【００１４】
このような構成とすることにより、流水路を流れる小川のせせらぎを形成することができるとともに、鳥や小川に生息する生物の生態系の保全、回復により一層貢献することができる。
【００１５】
また、このような池を設ける場合、池の水が所定の水位以下になると給水を行う池水自動補給装置を設けることができる。
【００１６】
このような構成とすることにより、例えば、長期間降雨がなく、池水が所定の水位以下になった場合でも、池水自動補給装置から給水を行うことで池水を所定の水位に保つことができる。
【００１７】
【発明の実施の形態】
以下、本発明の実施の形態について図面を参照して詳細に説明する。
【００１８】
図１〜図３は、本発明の一実施の形態に係る屋上緑化システムを示す図である。
【００１９】
図１は、屋上緑化システムの外観平面図で、この建造物の屋上１０には、図中左側に、屋上１０への出入口１２に通じる階段１４が設けられており、この階段１４と反対側の図中右側には、パーゴラ１６が設置されている。
【００２０】
また、パーゴラ１６から屋上１０のほぼ中央にかけては、雨水を貯留する貯水領域として池１８が設けられている。
【００２１】
さらに、池１８から離れて左方の池１８よりも高さの高い位置に、水の流出部としてバードバス２０を設けており、このバードバス２０と池１８とを流水路となる小川２２にて結んだ状態となっている。
【００２２】
そして、この池１８、バードバス２０及び小川２２の周囲に植裁基盤２４を施設し、その上に出入口１２から小川２２をわたってパーゴラ１６にいたる観察用通路２６を配置している。
【００２３】
この観察用通路２６、パーゴラ１６、池１８、バードバス２０、小川２２の周囲に、木２８や草花３０などの植物を植えた植裁領域３２が設けられた状態となっている。
【００２４】
図２には、植裁基盤２４を取り外して内部のシステムを表した部分概略平面図を示し、図３には、その植裁領域の概略縦断面図を示している。
【００２５】
図３に示すように、植裁基盤２４は、建造物の屋根スラブ３４上に防根シート３６を敷き、その上に排水層３８を形成し、この排水層３８上に透水シート４０を敷設し、この透水シート４０上に土壌４２を盛った状態で形成されている。
【００２６】
排水層３８は、図２に示すように、排水をルーフドレーン４４へと導くようになっている。
【００２７】
池１８には、オーバーフロー貯水装置４６を介して多数の貯水・潅水タンク４８が接続されている。
【００２８】
オーバーフロー貯水装置４６は、土壌４２に埋め込まれたオーバーフロー槽５０と、このオーバーフロー槽５０と池１８とを接続する連通管５２と、オーバーフロー槽５０と貯水・潅水タンク４８とを接続するオーバーフロー管５４とを有している。
【００２９】
連通管５２の先端には、フィルターキャップ５６が取り付けられ、池水をオーバーフロー槽５０内に導入し、オーバーフロー槽５０内の水の水位が池１８の水の水位と一致するようになっている。
【００３０】
オーバーフロー槽５０内には、木炭フィルター５８が設けられ、オーバーフロー槽５０内に取り入れた水を浄化するようにしている。
【００３１】
オーバーフロー管５４は、オーバーフロー槽５０内の開口端６０が池水の最高水位ＨＷＬの位置に設定されるとともに、この開口端６０にフィルターキャップ６２が設けられている。
【００３２】
従って、降雨によって池１８及びオーバーフロー槽５０の水かさが上がり、最高水位ＨＷＬを超える状態で、オーバーフロー管５４へのオーバーフローが生じ、オーバーフローした雨水はオーバーフロー管５４を通って貯水・潅水タンク４８内に流入して貯水される。
【００３３】
貯水・潅水タンク４８内に流入して貯水された雨水は、貯水・潅水タンク４８に設けられた複数の潅水部６４より毛細管現象を利用した潅水方式で上部の土壌４２の含水状態に応じて土壌４２内に自動的に給水され、植物への潅水が行われるようになっている。
【００３４】
従って、雨水を有効利用して植物の枯渇を防止することができる。
【００３５】
また、最終端の貯水・潅水タンク４８には、自動給水装置６６に接続され、降雨による池水のオーバーフローが期待できないときに、貯水・潅水タンク４８に水を供給するようになっている。
【００３６】
この自動給水装置６６は、補給槽６８内に給水栓７０を取り付け、この給水栓７０にボールタップ７２を取り付けている。
【００３７】
補給槽６８と貯水・潅水タンク４８とは、２本の連通管７４ａ、７４ｂで接続されており、貯水・潅水タンク４８の水位と同じ水位を保てるようになっている。
【００３８】
そして、貯水・潅水タンク４８内の水が低水位ＬＷＬになるとボールタップ７２が下がって給水栓７０を開き、平均水位ＷＬまで給水されて、この平均水位ＷＬを保つ状態となっている。
【００３９】
降雨によって池水のオーバーフローが生じると、補給槽６８内の水位は最大水位ＨＷＬまで上がり、それ以上になると補給槽６８に形成されたオーバーフロー孔７６から排水されてルーフドレーン４４へと導かれるようになっている。
【００４０】
この自動給水装置６６での給水は、水道水を用いてもよく、あるいは雨水を貯留した補助タンクから供給するようにしてもよい。
【００４１】
従って、例えば、長期間降雨がなく貯水・潅水タンク４８内の水が減少した場合に、自動給水装置６６から貯水・潅水タンク４８内に水を供給し、常時潅水可能な状態としてより確実に植物の枯渇を防止することができる。
【００４２】
また、池１８とバードバス２０とは、図２に示すように、パイプ７８にて連結され、ポンプ８０により池水をバードバス２０まで組み上げ、バードバス２０から小川２２を流下させて池１８へと循環させるようにしている。
【００４３】
これによって、流下する水によって小川のせせらぎを形成することができ、鳥や小川に生息する生物の生態系の保全、回復により一層貢献することができる。
【００４４】
このポンプ８０による池水の循環は、２４時間継続して行ってもよく、あるいは、定時間ポンプ８０による循環を行わせた後、例えば夜間はポンプ８０を停止するようにしてもよい。
【００４５】
この定時間ポンプ８０を停止する場合には、バードバス２０から小川２２にかけて残っている水がポンプ８０の停止後、池１８に流下してオーバーフローし、余剰の水はルーフドレーン４４から排出されることとなる。
【００４６】
そのため、ポンプ８０を再起動する際には、池１８の水位が低下することとなる。
【００４７】
そこで、ポンプ８０付近に自動給水装置６６と同様の構成を有する池水自動補給装置８２を設けて、池１８の水が所定の水位（低水位ＬＷＬ）以下になると給水を行うことで池１８の水位を保つようにするとよい。
【００４８】
この低水位ＬＷＬと最高水位ＨＷＬとの差Ｈは、例えば１０ｍｍに設定されている。
【００４９】
この水を循環させるポンプ８０の動力は、風力や太陽光発電によって賄うようにすると経済的で環境にやさしいものとすることができる。
【００５０】
このように、建造物の屋上１０に池１８やバードバス２０、さらには小川２２を設け、木２８や草花３０などの植物を植裁することで、人が自然とふれあえる状態を造り、都市生活者が「季節の移り変わりを見る」、「虫や鳥の声、水の流れを聞く」、「草花にさわる」、「花のにおいをかぐ」、「自然の恵みを味わう」といった五感を通してやすらぎや癒しが得られるもので、都市における人と生物の共生、自然生態系の保全、回復というビオトープの実現が可能となるものである。
【００５１】
本発明は、前記実施の形態に限定されるものではなく、本発明の要旨の範囲内において、種々の形態に変形可能である。
【００５２】
例えば、前記実施の形態では、貯水領域として池を形成したが、この例に限らず、プールや何らかの形で所定量の水を貯留することができる貯水領域であってもよい。
【００５３】
また、水の流出部としてバードバスを設けたが、バードバスに限らず水が流出できるものであれば他のものでも採用可能である。
【００５４】
さらに、植裁基盤として土壌を盛り上げたものを用いたが、保水可能なブロック状の植裁基盤を敷き詰めたものであってもよい。
【００５５】
また、貯水・潅水タンクは多数設けられた状態となっているが、植裁領域全体にわたる１つの貯水・潅水タンクとすることもできる。
【図面の簡単な説明】
【図１】本発明の一実施の形態に係る屋上緑化システムの外観平面図である。
【図２】図１の植裁基盤を取り外した状態を示す部分概略平面図である。
【図３】植裁領域の概略断面図である。
【符号の説明】
１０  屋上
１８  池
２０  バードバス
２２  小川
２４  植裁基盤
２８  木
３０  草花
３２  植裁領域
４６  オーバーフロー貯水装置
４８  貯水・潅水タンク
６６  自動給水装置
７８  パイプ
８０  ポンプ
【図１】
0003699428.tif 000002
【図２】
0003699428.tif 000003
【図３】
0003699428.tif 000004